(57)【要約】【課題】画像形成装置にトナー容器が装着された状態で、特定のトナー容器をユーザーが容易に認識することが可能なトナー容器及び画像形成装置を提供する。【解決手段】画像形成装置１０は、トナーコンテナ５０を有する。トナーコンテナ５０には、トナーが収容される筐体５１を有している。また、装着部４０には、レバー６７へ向けて発光する発光器１２１、筐体５１の反射部１２４へ向けて発光する発光器１２８が設けられている。レバー６７及び反射部１２４は、受けた光を上方へ向けて偏向する。【選択図】図１６
2018072611.tif 000002
【特許請求の範囲】
【請求項１】
画像形成装置の容器装着部に装着されるトナー容器であって、
トナーが収容される容器本体を有し、前記容器装着部から前記容器本体へ向けて発光された光を受けて外部へ向けて偏向する偏向部を備えるトナー容器。
【請求項２】
前記偏向部は、前記光を受けて前記外部へ向けて反射させる反射面である請求項１に記載のトナー容器。
【請求項３】
前記偏向部は、前記光を内部に導光して前記外部へ向けて出射する透光部材である請求項１に記載のトナー容器。
【請求項４】
前記容器本体は、一方向に長尺な形状に形成されており、その長手方向の両端が前記容器装着部に支持されるものであり、
前記偏向部は、前記容器本体の前記長手方向の両端のいずれか一方又は両方に設けられている請求項１から３のいずれかに記載のトナー容器。
【請求項５】
前記容器本体に設けられ、前記容器本体内のトナーを排出するトナー排出口と、
駆動力を受けて動作することにより前記トナー排出口を開閉可能な開閉部材と、
前記容器本体の前記長手方向の一方端に設けられ、前記開閉部材を動作させるための操作部材と、を更に備え、
前記偏向部は、前記操作部材に設けられている請求項４に記載のトナー容器。
【請求項６】
前記操作部材は、前記開閉部材の閉位置に対応する第１操作位置と、前記開閉部材の開位置に対応する第２操作位置との間で変位可能に前記容器本体に支持されており、
前記偏向部は、前記操作部材が前記第２操作位置に配置されたときに前記光を受ける請求項５に記載のトナー容器。
【請求項７】
前記容器本体の前記長手方向の一方端に設けられ、前記容器装着部によって支持される支持部と、
前記支持部に支持され、前記長手方向に沿って前記支持部に対して接離する接離方向へ変位可能な変位部材と、を更に備え、
前記偏向部は、前記変位部材に設けられている請求項４に記載のトナー容器。
【請求項８】
前記変位部材は、前記支持部の下方部を回動支点として前記支持部に対して前記接離方向へ回動可能に支持されており、
前記偏向部は、前記変位部材の上部に設けられており、前記変位部材の変位にともない前記接離方向へ変位する請求項７に記載のトナー容器。
【請求項９】
前記変位部材は、前記容器本体が前記容器装着部に装着されたときに前記支持部に近接する近接位置に配置され、
前記偏向部は、前記変位部材が前記近接位置に配置されたときに前記光を鉛直上方へ偏向する請求項７又は８に記載のトナー容器。
【請求項１０】
前記変位部材は、前記支持部から離反する方向へ付勢されており、前記容器本体が前記容器装着部に装着されたときに前記容器装着部から力を受けて前記近接位置に配置される請求項９に記載のトナー容器。
【請求項１１】
前記変位部材は、接触されることにより電気的に導通可能な第１接触部を有し、
前記容器装着部は、前記容器本体が前記容器装着部に装着された状態で前記第１接触部と接触して電気的に接続される第２接触部を有する請求項７から１０のいずれかに記載のトナー容器。
【請求項１２】
装置本体と、
前記装置本体の内部に設けられ、請求項１から１１のいずれかに記載のトナー容器を着脱可能に装着する容器装着部と、
前記トナー容器が前記容器装着部に装着された状態で前記トナー容器が備える前記偏向部へ向けて発光する発光部材と、を備える画像形成装置。
【請求項１３】
前記装置本体は、
前記装置本体の上面に形成され、前記トナー容器の装着時に前記トナー容器が挿通される上面開口と、
前記上面開口を覆うカバー部材と、を有し、
前記カバー部材は、前記偏向部によって偏向された光を前記カバー部材の上方外側へ通す窓部を有する請求項１２に記載の画像形成装置。
【請求項１４】
前記偏向部によって偏向された光を前記窓部まで導光する導光部材を更に備える請求項１３に記載の画像形成装置。
【発明の詳細な説明】
【技術分野】
【０００１】
本発明は、内部にトナーを収容可能なトナー容器、及びトナー容器を備える画像形成装置に関する。
【背景技術】
【０００２】
電子写真方式によって印刷用紙に画像を形成する複写機やプリンター等の画像形成装置には現像装置が搭載されている。現像装置により現像が行われることによって、現像装置の内部のトナーが減少する。そのため、画像形成装置は、トナーが収容されたトナー容器を着脱可能に構成されている。トナー容器が装着された状態で、トナー容器内のトナー収容室から現像装置へトナーが供給される。トナー容器には、トナーを外部へ排出するためのトナー排出口と、このトナー排出口を開閉するための開閉部材とが設けられている。トナー容器又は装置本体に付属の操作レバーが操作されると、開閉部材が閉位置から開位置に変位される。これにより、トナー排出口が開けられて、前記トナー収容室のトナーが外部に排出される。なお、トナー容器内のトナーが空になると、空になったトナー容器は、トナーが充満された新しいトナー容器に交換される。
【０００３】
この種の画像形成装置として、外部に設けられた発光部材を点灯させることにより、内部に生じた紙詰まりなどのエラー発生箇所をユーザーに知らせることが可能な画像形成装置が知られている（特許文献１参照）。
【先行技術文献】
【特許文献】
【０００４】
【特許文献１】特開２０１４−２３８５６６号公報
【発明の概要】
【発明が解決しようとする課題】
【０００５】
ところで、従来の画像形成装置において、トナー容器内のトナーが空になった場合に、そのトナー容器の装着部近傍に設けられた発光部材を発光させることにより、交換されるべきトナー容器をユーザーに知らせることが可能である。しかしながら、装着部に設けられた発光部材が発光したとしても、トナー容器自体が発光しなければ、ユーザーは、交換対象を容易に認識することができない。一方、トナー容器に発光部材を設け、その発光部材に給電することにより発光部材を交換タイミングに発光させれば、ユーザーは、交換対象のトナー容器を容易に認識することができる。しかしながら、トナー容器に発光部材を設けることは、交換後のトナー容器が再利用されなければトナー容器と共に発光部材が廃棄されることになるため、コスト面で好ましくない。また、トナー容器の発光部材まで給電経路を設ける必要があり、トナー容器の構成が複雑になる。
【０００６】
本発明の目的は、画像形成装置にトナー容器が装着された状態で、特定のトナー容器をユーザーが容易に認識することが可能なトナー容器、及びトナー容器を備える画像形成装置を提供することにある。
【課題を解決するための手段】
【０００７】
本発明の一の局面に係るトナー容器は、画像形成装置の容器装着部に装着されるトナー容器である。前記トナー容器は、トナーが収容される容器本体を有しており、前記容器装着部から前記容器本体へ向けて発光された光を受けて外部へ向けて偏向する偏向部を備えている。
【０００８】
本発明の他の局面に係る画像形成装置は、前記トナー容器を着脱可能に装着する容器装着部と、前記トナー容器が前記容器装着部に装着された状態で前記トナー容器が備える前記偏向部へ向けて発光する発光部材と、を備える。
【０００９】
本発明の他の局面に係る画像形成装置は、前記トナー容器を備え、前記トナー容器から供給されたトナーを用いて記録媒体に画像を形成する。
【発明の効果】
【００１０】
本発明によれば、画像形成装置にトナー容器が装着された状態で、特定のトナー容器をユーザーが容易に認識することが可能である。
【図面の簡単な説明】
【００１１】
【図１】図１（Ａ）、（Ｂ）は、本発明の実施形態に係る画像形成装置の構成を示す斜視図である。
【図２】図２は、画像形成装置の内部構成を示す断面図である。
【図３】図３（Ａ）は、本発明の実施形態に係るトナーコンテナが画像形成装置に装着された装着状態を示す図であり、図３（Ｂ）は、画像形成装置におけるトナーコンテナの装着部を示す図である。
【図４】図４は、トナーコンテナ及びその装着部を示す図である。
【図５】図５は、トナーコンテナ及びその装着部を示す図である。
【図６】図６は、トナーコンテナを右側からみたときの斜視図である。
【図７】図７は、トナーコンテナの右側端部の構成を示す図である。
【図８】図８は、トナーコンテナの右側端部のカバーが取り外された状態を示す図である。
【図９】図９（Ａ）は、操作部のレバーが回動される前の状態を示す図であり、図９（Ｂ）は、操作部のレバーが回動された後の状態を示す図である。
【図１０】図１０（Ａ）及び（Ｂ）は、操作部のレバーの操作位置に応じた第１連結部及び第２連結部の位置を示す図である。
【図１１】図１１は、トナーコンテナを左側からみたときの斜視図である。
【図１２】図１２（Ａ）及び（Ｂ）は、ホルダーの回動位置と光の反射方向を示す図である。
【図１３】図１３は、装着部の左側の支持プレートの構成を部分的に示す図である。
【図１４】図１４（Ａ）及び（Ｂ）は、ホルダーの取付部の構成を示す図である。
【図１５】図１５は、装着部の右側の支持プレートの構成を部分的に示す図である。
【図１６】図１６は、トナーコンテナのサイドカバーが支持プレートのコンテナガイドに取り付けられた状態を示す斜視図である。
【図１７】図１７は、トナーコンテナのホルダーが支持プレートの取付部に取り付けられた状態を示す斜視図である。
【図１８】図１８は、トップカバーに設けられた導光窓を示す斜視図である。
【図１９】図１９は、反射部からトップカバーの導光窓に至る導光部材を示す斜視図である。
【発明を実施するための形態】
【００１２】
以下、添付図を参照しながら、本発明の実施形態について説明する。以下の実施形態は、本発明を具体化した一例であって、本発明の技術的範囲を限定するものではない。なお、説明の便宜上、画像形成装置１０が使用可能な設置状態（図１に示される状態）で鉛直方向を上下方向６と定義する。また、前記設置状態において図１に示される給紙装置２５が挿抜される面を正面（前面）として前後方向７を定義する。また、前記設置状態の画像形成装置１０の正面を基準として左右方向８を定義する。
【００１３】
［画像形成装置１０］
本発明の実施形態に係る画像形成装置１０は、少なくとも印刷機能を備えた装置である。画像形成装置１０は、所謂タンデムタイプのカラープリンターである。もちろん、カラー画像を形成するものでなく、単一色の画像を形成するものであってもよい。
【００１４】
図１及び図２に示されるように、画像形成装置１０は装置本体２８を備える。装置本体２８は、全体として略直方体形状である。装置本体２８は、画像形成装置１０の外部フレームや内部フレーム、外装パネルなどを含む筐体である。装置本体２８の内部には、画像形成装置１０を構成する各部が配設されている。図１に示されるように、装置本体２８の上面には開口２８Ａ（上面開口の一例）が形成されている。また、装置本体２８の上面には、開口２８Ａを開閉可能なトップカバー２８Ｂ（カバー部材の一例）が設けられている。
【００１５】
図２に示すように、画像形成装置１０は、主として、４つの画像形成部２１と、中間転写ユニット２２と、給紙装置２５と、定着装置２６と、二次転写装置２７と、２つの露光装置２４と、４つのトナーコンテナ５０（５０Ａ〜５０Ｄ）と、装着部４０（容器装着部の一例）と、を備える。これらの構成要素は、画像形成装置１０の装置本体２８の内部に設けられている。なお、トナーコンテナ５０は、画像形成装置１０におけるトナー容器の一例である。
【００１６】
図２に示すように、４つの画像形成部２１は、装置本体２８の内部において、中間転写ユニット２２の下方に配置されている。各画像形成部２１は、前後方向７に沿って並設されている。各画像形成部２１は、所謂電子写真方式に基づいて、画像データに対応する画像を印刷用紙に形成する画像形成処理を実行する。画像形成部２１は、感光体ドラム１１、帯電装置（不図示）、現像装置１２、一次転写装置１３等を備えている。画像形成部２１は、感光体ドラム１１にトナー像を形成し、中間転写ユニット２２が備える転写ベルト２３にトナー像を順次重ね合わせて転写する。転写ベルト２３は、矢印１９の方向へ移動（走行）しており、その移動中の転写ベルト２３にトナー像が順次転写される。図２に示す例では、装置本体２８の内部において転写ベルト２３の移動方向（矢印１９方向）の下流側から順に、ブラック色、シアン色、マゼンタ色、イエロー色に対応する画像形成部２１が一列に配置されている。
【００１７】
中間転写ユニット２２は、画像形成部２１の上方に配置されている。中間転写ユニット２２の前後方向７の両端に駆動プーリー３１及び従動プーリー３２が設けられている。転写ベルト２３は、駆動プーリー３１及び従動プーリー３２それぞれに掛け渡すように支持されている。これにより、ベルト面が水平な状態で前後方向７に延在している。また、転写ベルト２３が駆動プーリー３１及び従動プーリー３２に支持されることにより、転写ベルト２３は、その表面が各感光体ドラム１１の表面に接しながら矢印１９の方向へ移動可能となる。転写ベルト２３は、例えばゴムやウレタン等の素材からなる無端環状のベルトである。
【００１８】
二次転写装置２７は、転写ベルト２３に転写された複数色からなるトナー像を印刷用紙に転写する。トナー像が転写された印刷用紙は、定着装置２６に搬送される。定着装置２６は、印刷用紙に転写されたトナー像を熱によってその印刷用紙に定着させる。定着装置２６は、加熱ローラー２６Ａと、加圧ローラー２６Ｂとを有する。加熱ローラー２６Ａは、高温に加熱される。加圧ローラー２６Ｂは、加熱ローラー２６Ａに対向配置されている。定着装置２６に搬送された印刷用紙は、加熱ローラー２６Ａと加圧ローラー２６Ｂとの間のニップ部で所定の付勢力によって挟持されつつ搬送される。これにより、トナー像が印刷用紙に溶着される。装置本体２８のトップカバー２８Ｂの上面には排紙トレイ２９が形成されている。定着後の印刷用紙は、排紙トレイ２９に排出される。
【００１９】
なお、画像形成装置１０は、転写ベルト２３を印刷用紙を搬送するための搬送ベルトとして用い、その搬送ベルト上に搬送される印刷用紙にトナー像が直接に重ね合わせて転写される構成であってもよい。また、画像形成装置１０は、転写ベルト２３に代えてローラー状の中間転写部材を用いる構成であってもよい。
【００２０】
４つのトナーコンテナ５０（５０Ａ〜５０Ｄ）は、装着部４０１に着脱可能に装着されている。４つのトナーコンテナ５０は、中間転写ユニット２２の上方に配置されている。４つのトナーコンテナ５０は、装置本体２８の内部において、転写ベルト２３に沿って前後方向７に沿って一列に並んで設けられている。トナーコンテナ５０は、対応する色の現像装置１２にトナーを供給するように構成されている。
【００２１】
トップカバー２８Ｂは、装置本体２８の上部の開口２８Ａを覆うものである。トップカバー２８Ｂは、装置本体２８に設けられた支軸３３（図２参照）を中心に回動可能に支持されている。これにより、トップカバー２８Ｂは、開口２８Ａを覆って閉塞する閉位置と、開口２８Ａから離れて開放する開位置との間で回動することができる。
【００２２】
装着部４０は、トナーコンテナ５０を着脱可能に装着するためのものである。図３（Ａ）、（Ｂ）に示すように、装着部４０は、装置本体２８の内部に設けられている。具体的には、装着部４０は、トップカバー２８Ｂと中間転写ユニット２２との間に設けられている。トップカバー２８Ｂが上方（開方向）へ回動されると、装着部４０が露出される。装着部４０は、中間転写ユニット２２の上部に一体に形成されている。各トナーコンテナ５０は、トップカバー２８Ｂが開けられた状態で、ユーザーによって開口２８Ａから内部に挿通されて、装着部４０に装着される。装着部４０には、４つの収容スペース４１が形成されており、トナーコンテナ５０は、各収容スペース４１に収容された状態で装着部４０に装着される。なお、装着部４０は中間転写ユニット２２の上部に一体に形成されたものに限られず、中間転写ユニット２２とは別部材として装置本体２８に設けられたものであってもよい。
【００２３】
各トナーコンテナ５０には、画像形成部２１の各色に対応する色のトナーが収容されている。具体的には、各トナーコンテナ５０（５０Ａ〜５０Ｄ）それぞれには、ブラック色、シアン色、マゼンタ色、イエロー色のトナーが個別に収容されている。図２及び図３に示すように、４つのトナーコンテナ５０のうち、最も後方に位置するトナーコンテナ５０Ａは他のトナーコンテナ５０Ｂ〜５０Ｄよりも大容量タイプのものである。トナーコンテナ５０Ａにブラック色のトナーが収容されている。また、トナーコンテナ５０Ｂ〜５０Ｄはいずれも同じ形状であり同じ容量である。トナーコンテナ５０Ｂにシアン色のトナーが収容されており、トナーコンテナ５０Ｃにマゼンタ色のトナーが収容されており、トナーコンテナ５０Ｄにイエロー色のトナーが収容されている。
【００２４】
［トナーコンテナ５０の構成］
以下、トナーコンテナ５０の構成について説明する。ここで、大容量タイプのトナーコンテナ５０Ａと他のトナーコンテナ５０Ｂ〜５０Ｄとは、トナー収容部のサイズが異なる以外は同じ構成である。また、トナーコンテナ５０Ｂ〜５０Ｄは配置位置が異なる以外は同じ構成である。そのため、以下の説明では、トナーコンテナ５０Ａ〜５０Ｄをトナーコンテナ５０と総称して説明する。
【００２５】
トナーコンテナ５０は、現像装置１２にトナーを供給する機能を有する。トナーコンテナ５０は、現像装置１２に供給されるトナーを内部に収容している。トナーコンテナ５０は、装着部４０（図３参照）に対して着脱可能に支持される。トナーコンテナ５０は、装置本体２８の上面の開口２８Ａから装置本体２８の内部に挿入されて、装着部４０の各収容スペース４１に収容される。
【００２６】
図４乃至図８に示すように、トナーコンテナ５０は、筐体５１（容器本体の一例）と、トナー排出口５２（図７参照）と、開閉機構５３（図７参照）と、操作部５４と、サイドカバー７２と、を備えている。筐体５１は、画像形成装置１０の装着部４０に装着される。筐体５１は、樹脂材料からなり、左右方向８に長尺な箱形状に形成されている。つまり、筐体５１の長手方向が、図１に示す画像形成装置１０の左右方向８に一致する。トナーは筐体５１の内部の収容空間に収容されている。図７に示すように、トナー排出口５２は筐体５１に形成されている。トナー排出口５２は、筐体５１の底面の右端部（長手方向の一方の端部）に形成されている。筐体５１内のトナーは、トナー排出口５２から外部へ排出される。また、図８に示すように、操作部５４は、ユーザーによって操作可能なように筐体５１に設けられている。
【００２７】
図３及び図４に示すように、装着部４０は、トナーコンテナ５０が装着される支持プレート４２，４３を有している。なお、図３には支持プレート４３は示されておらず、図４には支持プレート４２は示されていない。支持プレート４２，４３は、板状に形成されており、前後方向７へ延出している。支持プレート４２，４３は、装着部４０において左右方向８に離間しており、互いに対向するように配置されている。図３に示すように、支持プレート４２は装着部４０の左端部に立設されている。図４に示すように、支持プレート４３は装着部４０の右端部に立設されている。装着部４０は、支持プレート４２，４３によって、４つのトナーコンテナ５０の前記長手方向の両端を支持する。
【００２８】
図４及び図５に示すように、支持プレート４３の一方側（左側）の内側面４３Ａ（左側の側面）には、斜め上方に延びる溝状のコンテナガイド４５が複数形成されている。コンテナガイド４５は、支持プレート４３の内側面４３Ａが厚み方向に凹まされて溝状に形成されたものである。また、コンテナガイド４５は、支持プレート４３の上端側が末広がり状に形成されている。筐体５１の右端部は、コンテナガイド４５により支持プレート４３の上端から斜め下方に案内されることによって、コンテナガイド４５の下端部で支持される。
【００２９】
筐体５１の内部の収容空間には、トナーを撹拌する撹拌パドル（不図示）と、トナーをトナー排出口５２へ向けて搬送するスクリュー部（不図示）とが設けられている。これらは、筐体５１の長手方向に延出している。
【００３０】
図８に示すように、サイドカバー７２は、筐体５１の右側端部に設けられている。言い換えると、サイドカバー７２は、筐体５１の右側端部を構成している。サイドカバー７２は、筐体５１の右側の側壁５１Ｂを覆うように設けられている。側壁５１Ｂには、筐体５１の内部へトナーを充填するためのトナー充填口５９が設けられている。トナー充填口５９は栓部材６０によって閉塞されている。
【００３１】
図７及び図８に示すように、トナー排出口５２は、トナーコンテナ５０に形成されている。トナー排出口５２は、筐体５１の底部の右端側に形成されている。具体的には、筐体５１の右端部の側壁５１Ｂには、筒状部５１Ａが形成されている。筒状部５１Ａは、側壁５１Ｂの下部に設けられている。筒状部５１Ａは、側壁５１Ｂから外側（右方）へ突出して延びる略円筒状に形成されている。筒状部５１Ａの内部空間は、筐体５１の内部空間、つまり、トナーが収容される部分に連通している。筒状部５１Ａは、筐体５１と一体に形成されている。トナー排出口５２は、筒状部５１Ａの周面に設けられており、具体的には、筒状部５１Ａの周面の下側部分に設けられている。トナー排出口５２は、筒状部５１Ａの周面を構成する周壁を下方に貫通するように形成されている。
【００３２】
開閉機構５３は、トナー排出口５２を開閉するものである。開閉機構５３は、筒状部５１Ａに設けられている。開閉機構５３は、筒状部５１Ａの内部に配置されるシリンダ状のシャッター部材６１（図７参照）と、筒状部５１Ａの外側に配置される鉤状の第２連結部７９とを有している。シャッター部材６１は、本発明の開閉部材の一例である。なお、図７は、シャッター部材６１によってトナー排出口５２が閉じられた状態が示されている。筒状部５１Ａの内部において、シャッター部材６１は、トナー排出口５２を閉じる閉位置とトナー排出口５２を開ける開位置との間で回動可能に設けられている。外部から第２連結部７９に回転駆動力が入力されてシャッター部材６１が前記閉位置から前記開位置に回動されると、トナー排出口５２が開けられる。外部から第２連結部７９に逆方向の回転駆動力が入力されてシャッター部材６１が前記開位置から前記閉位置に回動されると、トナー排出口５２が閉じられる。つまり、トナー排出口５２は、回転駆動力を受けてシャッター部材６１が回動されることによって開閉される。
【００３３】
第２連結部７９は、トナーコンテナ５０が装着部４０に装着されることによって、装置本体２８の装着部４０に設けられた駆動伝達機構（不図示）に連結される。これにより、第２連結部７９は、前記駆動伝達機構から回転力を受けることができる。前記駆動伝達機構は、支持プレート４３の内側面４３Ａとは反対側の側面に設けられており、操作部５４が操作されたことによって後述する第１連結部７８に入力された操作駆動力（回転駆動力）を、第１連結部７８から第２連結部７９に伝達するものであり、例えば、互いに噛み合わされた２つのギヤ７４，７５（図４、図５参照）を含むギヤ伝達機構である。
【００３４】
トナーコンテナ５０が装着部４０に装着されると、トナー排出口５２は、中間転写ユニット２２に形成された連通口（不図示）に対向する位置に配置されて、前記連通口に密着する。前記連通口から不図示の搬送経路を経てトナーが現像装置１２に供給される。このような位置関係となるように、装着部４０におけるトナーコンテナ５０の装着位置が定められている。
【００３５】
図８に示すように、操作部５４は、筐体５１の右端部に設けられている。操作部５４は、トナーコンテナ５０が装着部４０における前記装着位置に装着された状態で、トナー排出口５２を開閉するために用いられる。詳細には、操作部５４は、シャッター部材６１を前記開位置と前記閉位置との間で回動させるために用いられる。なお、図８は、シャッター部材６１によってトナー排出口５２が開けられた状態が示されている。操作部５４は、軸部６６と、レバー６７（操作部材の一例）とを有している。つまり、レバー６７は筐体５１の右端部に設けられている。軸部６６は、筐体５１の側壁５１Ｂに回転可能に支持されている。レバー６７は、軸部６６に固定されており、軸部６６から延出された棒状の部材である。
【００３６】
軸部６６は、筐体５１の右端部から右方へ突出する軸心を有している。レバー６７は、軸部６６の軸心周りに軸部６６と一体に回動可能となっている。本実施形態では、操作部５４は、レバー６７が前方へ傾倒した第１操作位置（図９（Ａ）に示す姿勢）と、レバー６７が後方へ傾倒した第２操作位置（図９（Ｂ）に示す姿勢）との間で回動可能である。レバー６７が、前記第１操作位置と前記第２操作位置との間で操作されることにより、開閉機構５３のシャッター部材６１を前記第１操作位置に対応する前記閉位置又は前記第２操作位置に対応する前記開位置のいずれかに移動させる。ここで、前記第１操作位置は、シャッター部材６１の前記閉位置に対応する位置である。具体的には、シャッター部材６１を前記閉位置に維持させるか又は前記閉位置に変位させる場合に、レバー６７が前記第１操作位置に配置される。一方、前記第２操作位置は、シャッター部材６１の前記開位置に対応する位置である。具体的には、シャッター部材６１を前記開位置に維持させるか又は前記開位置に変位させる場合に、レバー６７が前記第２操作位置に配置される。
【００３７】
本実施形態では、レバー６７は、光を内部に導光して外部へ向けて出射することが可能な透光部材で構成されている。前記透光部材としては、例えば、透明又は半透明の樹脂部材が適用可能である。これにより、後述する発光器１２１から出射された光がレバー６７に照射されると、レバー６７は、その光を内部に導光して内部で乱反射させて、一部又は全部の光を上方へ向けて偏向する。なお、この場合、レバー６７は、本発明の偏向部の一例である。
【００３８】
なお、レバー６７は、導光部材で構成されたものに限られない。たとえば、レバー６７は、後述する発光器１２１から出射された光を上方へ向けて反射させる反射面を有するものであってもよい。この場合、前記反射面が本発明の偏向部に相当する。もちろん、発光器１２１からの光を上方へ向けて偏向するものであれば、レバー６７は、どのような構成を有していてもよい。
【００３９】
また、筐体５１の右端部には、ロック部材７１が設けられている。ロック部材７１は、操作部５４及び開閉機構５３を誤作動させないようにロック状態とするためのものである。すなわち、ロック部材７１は、操作部５４の操作が規制されるように操作部５４をロック状態にする。更に、ロック部材７１は、開閉機構５３の開閉動作が規制されるように開閉機構５３をロック状態にする。ロック部材７１には、右方に突出した爪状の解除部７１Ａが一体に形成されている。なお、本発明の主要構成ではないため、ロック部材７１の詳細な説明は省略する。
【００４０】
図７及び図８に示すように、筐体５１の右端部の側壁５１Ｂには、サイドカバー７２が取り付けられている。サイドカバー７２は、レバー６７の基端側の部分やロック部材７１などを覆うように取り付けられている。サイドカバー７２の上面７２Ａには円弧形状のスリット７２Ｃが形成されている。スリット７２Ｃは、上面７２Ａにおいて、前後方向７に延出しており、前後方向７に細長い形状の貫通溝である。スリット７２Ｃからレバー６７の上端が上方へ露出している。このため、レバー６７は、操作されることによって、スリット７２Ｃに沿って、スリット７２Ｃにガイドされながら、前記第１操作位置と前記第２操作位置との間を移動する。
【００４１】
図８に示されるように、サイドカバー７２の右側面７２Ｂには開口７２Ｄが形成されている。開口７２Ｄから後述の第１連結部７８が右方へ露出している。また、右側面７２Ｂには、上下に延びると共に下方に開放されたガイド溝７２Ｅが形成されている。そして、図１０（Ａ）に示すように、ロック部材７１の解除部７１Ａは、ガイド溝７２Ｅにおいてサイドカバー７２から露出している。なお、シャッター部材６１の第２連結部７９はサイドカバー７２で覆われていない。
【００４２】
図８に示すように、サイドカバー７２は、筐体５１の右端部から右方に突出したブロック状の位置決め突部７３を有している。位置決め突部７３は、コンテナガイド４５（図４参照）に嵌め入れ可能な幅サイズに形成されており、コンテナガイド４５の溝幅よりも若干小さい幅サイズに形成されている。これにより、コンテナガイド４５に位置決め突部７３が装着可能となる。具体的には、図４に示すように、位置決め突部７３がコンテナガイド４５に嵌め込まれて、コンテナガイド４５により斜め下方に案内されることによって、筐体５１が支持プレート４３に装着されるようになっている。
【００４３】
図９及び図１０に示すように、トナーコンテナ５０の操作部５４は、鉤状の第１連結部７８を有している。第１連結部７８は、操作部５４のレバー６７が操作されることによって回転する。第１連結部７８は、軸部６６の右端に一体に形成されている。第１連結部７８は、軸部６６の右端から右方に突出した板リブに形成されている。第１連結部７８は、筐体５１が支持プレート４３に装着される際にサイドカバー７２がコンテナガイド４５によって案内される装着方向（つまり、斜め下方）へ延びている。第１連結部７８は、トナーコンテナ５０が支持プレート４３のコンテナガイド４５に装着されると、前記駆動伝達機構（不図示）に回転可能に連結される。つまり、第１連結部７８は、トナーコンテナ５０の装着状態において前記駆動伝達機構に連結する。これにより、レバー６７の操作時に入力される操作駆動力が前記駆動伝達機構に伝達可能となる。上述したように、開閉機構５３の第２連結部７９は、トナーコンテナ５０が支持プレート４３のコンテナガイド４５に装着されると、前記駆動伝達機構に回転可能に連結される。したがって、トナーコンテナ５０が前記装着位置に配置された状態でレバー６７に前記操作駆動力が入力されると、その操作駆動力が、第１連結部７８、前記駆動伝達機構、第２連結部７９を介してシャッター部材６１に伝達し、シャッター部材６１が前記開位置又は前記閉位置に変位する。
【００４４】
また、図１５に示されるように、支持プレート４３の内側面４３Ａには発光器１２１（発光部材の一例）が設けられている。発光器１２１は、トナーコンテナ５０が装着部４０に装着された状態で、トナーコンテナ５０へ向けて光を出射させる。発光器１２１は、例えばＬＥＤ素子である。内側面４３Ａにおいて、４つのコンテナガイド４５それぞれの近傍に一つずつ発光器１２１が設けられている。具体的には、内側面４３Ａに支持プレート４３を貫通する出射窓１２２が形成されており、その出射窓１２２からトナーコンテナ５０の右端部へ向けて光を照射可能なように、発光器１２１が支持プレート４３に取り付けられている。
【００４５】
発光器１２１は、画像形成装置１０の制御部によって、その点灯が制御される。本実施形態では、前記制御部は、所定の条件を満たした場合に、発光器１２１を点灯させる。たとえば、トナーコンテナ５０内のトナーが空になった場合に、発光器１２１を点灯させる。トナーコンテナ５０内のトナーが空になったかどうかは、例えば、トナーコンテナ５０内のトナー量を検出する重量センサーや磁気センサーなどの出力信号に基づいて前記制御部が判断する。これにより、ユーザーは、トナーコンテナ５０を交換する際に、点灯している発光器１２１を目印にして、空のトナーコンテナ５０がどれであるかを見つけ出すことができる。言い換えると、画像形成装置１０は、装着部４０においてトナーコンテナ５０が装着される位置の近傍の発光器１２１を点灯させることにより、交換されるべきトナーコンテナ５０をユーザーに知らせることができる。
【００４６】
しかしながら、装着部４０に設けられた発光器１２１が発光したとしても、トナーコンテナ５０自体が発光しなければ、ユーザーは、交換対象のトナーコンテナ５０を容易に認識することができない。一方、トナーコンテナ５０にＬＥＤ素子などの発光部材を設けて、必要に応じてその発光部材を点灯させると、ユーザーは、交換対象のトナーコンテナ５０を容易に認識することができる。しかし、トナーコンテナ５０に発光部材を設けることは、交換後のトナーコンテナ５０と共に発光部材が廃棄されることになるため、コスト面で好ましくない。また、トナーコンテナ５０の発光部材まで給電経路を設ける必要があり、トナーコンテナの構成が複雑になる。
【００４７】
本実施形態では、発光器１２１は、レバー６７が前記第２操作位置に配置されたときに、レバー６７に光を照射する。このため、図１６に示されるように、前記第２操作位置において、レバー６７は、内側面４３Ａの出射窓１２２に対向する。このような位置（第２操作位置）にレバー６７が配置されることにより、レバー６７は、発光器１２１から出射された光を受ける。そして、レバー６７で受けた光は、レバー６７の内部に導光されて、内部で乱反射し、その一部又は全部が上方へ向けて偏向する。これにより、偏向された光が上方へ進むため、ユーザーがトナーコンテナ５０を交換しようとしてトップカバー２８Ｂを開けると、ユーザーは、交換すべきトナーコンテナ５０のレバー６７が光っているように見えて、そのトナーコンテナ５０を容易に認識することができる。
【００４８】
図４及び図１１に示すように、トナーコンテナ５０は、突出部８５（支持部の一例）と、ホルダー９０（変位部材の一例）と、を備えている。
【００４９】
図１１に示すように、筐体５１の長手方向の一方側の側壁５１Ｃに突出部８５と、ホルダー９０とが設けられている。具体的には、側壁５１Ｃに突出部８５が一体に形成されており、その突出部８５にホルダー９０が支持されている。
【００５０】
突出部８５は、装着部４０によって支持される部分である。突出部８５は、側壁５１Ｃよりも長手方向の外側へ突出する矩形状に屈曲された板形状のものである。突出部８５は、コンテナ本体の短手方向の両側に位置する側壁８５Ａ，８５Ｂと、各側壁８５Ａ，８５Ｂの上端を連接する上壁８５Ｃと、を有する。側壁８５Ａ，８５Ｂは互いに平行であり、その外側面は平坦に形成されている。
【００５１】
突出部８５は、トナーコンテナ５０が装着部４０に装着される際に、装着部４０の支持プレート４２が備えるガイド溝１００（図１３参照）に挿入されて、トナーコンテナ５０の着脱方向にトナーコンテナ５０を案内する。このとき、突出部８５の側壁８５Ａ，８５Ｂがガイド溝１００に当接して、ガイド溝１００によるガイド方向（トナーコンテナ５０の着脱方向と同方向）へ案内される。そして、突出部８５は、ガイド溝１００により支持プレート４２の上端から斜め下方に案内されることによって、ガイド溝１００の下端部で支持される。
【００５２】
図１１に示すように、側壁８５Ａ，８５Ｂそれぞれの概ね中央部には、長手方向に長い長孔８６が形成されている。図１１では、側壁８５Ｂ側の長孔８６は他の部材により隠れているため図示されていない。この長孔８６は、ホルダー９０が備えるガイド軸９２を前記長手方向に案内して、ホルダー９０を筐体５１の側壁５１Ｃに対して接離する方向へ移動させる役割と、その移動範囲を制限する役割とを担っている。また、長孔８６よりも下方であって、側壁８５Ａ，８５Ｂの下端部には、ホルダー９０の回動支点となる軸孔８７が形成されている。この軸孔８７は、ホルダー９０が備える回動軸９３が挿通されて、回動軸９３を軸支する。
【００５３】
図１１に示すように、ホルダー９０は、突出部８５に支持されており、詳細には、上壁８５Ｃ及び側壁８５Ａ，８５Ｂによって囲まれた突出部８５の内部にホルダー９０が取り付けられている。ホルダー９０は、ホルダー本体９１と、ガイド軸９２と、回動軸９３とを有する。ホルダー本体９１は、突出部８５の内部に部分的に収容される。ガイド軸９２は、突出部８５の長孔８６に挿通される。回動軸９３は、突出部８５の軸孔８７に回動可能に支持される。ホルダー９０は合成樹脂を射出成形することにより形成される合成樹脂製品である。このため、ホルダー本体９１と、ガイド軸９２と、回動軸９３とは一体に形成されている。
【００５４】
ホルダー本体９１は、内部が空洞の直方体形状に形成されている。ホルダー本体９１の表面９１Ａ（保持面）には、４つの接続端子９５（第１接触部の一例）が設けられている。表面９１Ａは、後述の取付部４７の側壁１００Ｂ（図１３参照）に対向される面である。接続端子９５は、チップメモリーやフラッシュメモリーなどの記憶部（不図示）の接続端子である。４つの接続端子９５は、ホルダー本体９１の表面９１Ａに露出される基板９４に設けられている。これら４つの接続端子９５は、導電材が接触されることにより電気的に前記導電材と導通可能なものである。４つの接続端子９５は、基板９４において幅方向に並んで配置されている。
【００５５】
前記記憶部は、トナーコンテナ５０に収容されたトナーに関する情報を記憶している。トナーに関する情報の一例として、未使用のトナーコンテナ５０に含まれるトナーの量や、トナーの残量、トナーが収容された時期、収容されたトナーが適用可能な条件などが該当する。なお、前記記憶部は、ホルダー本体９１の裏側或いは側壁５１Ｃに固定されており、信号線や電源線などを含むワイヤーハーネスによって接続端子９５に接続されている。
【００５６】
ガイド軸９２は、ホルダー本体９１の前記幅方向の両方の側面の中央部に設けられている。ガイド軸９２は、断面形状が十字形の軸であり、前記側面から外側へ突出している。このガイド軸９２が突出部８５の長孔８６に挿通される。なお、ガイド軸９２の突出長さは、長孔８６に挿通されたときに突出部８５の側壁８５Ａ，８５Ｂの外側面に突出しない長さに定められている。
【００５７】
回動軸９３は、ホルダー本体９１の前記幅方向の両方の側面の下端部に設けられている。回動軸９３は、断面形状が円形の軸であり、前記側面から外側へ突出している。この回動軸９３が突出部８５の軸孔８７に挿通される。これにより、ホルダー９０は、突出部８５の下端部（下方部）を回動支点として回動可能となる。なお、回動軸９３の突出長さは、軸孔８７に軸支されたときに突出部８５の側壁８５Ａ，８５Ｂの外側面に突出しない長さに定められている。
【００５８】
このようにホルダー９０が構成されているため、回動軸９３を軸孔８７に支持させ、ガイド軸９２を長孔８６に挿通させることにより、ホルダー９０が突出部８５に取り付けられる。また、ホルダー９０は、回動軸９３を回動中心として回動可能なように突出部８５に支持される。これにより、ホルダー９０は、トナーコンテナ５０の長手方向に沿って突出部８５に対して接離する接離方向へ変位可能である。より詳細には、ホルダー９０は、回動軸９３によって、突出部８５の下端部を回動支点として、突出部８５から最も外側へ離間した離間位置（図１２（Ａ）に示す位置）と、ホルダー本体９１が突出部８５の内部に部分的に没入して側壁５５Ｃに最も接近する近接位置（図１２（Ｂ）に示す位置）との間で回動可能である。前記離間位置は、ホルダー本体９１が突出部８５から最大に引き出されて側壁５１Ｃから最も離間した位置である。
【００５９】
なお、ホルダー９０の裏側には、圧縮バネなどの弾性部材（不図示）が設けられている。この弾性部材は、常に、ホルダー９０の回動軸９３側とは反対側（上側）に位置するホルダー９０の上端部を外側（図１２の紙面左側）、つまり、前記離間位置へ向けて押圧する。前記弾性部材の弾性付勢力によって、ホルダー９０は、突出部８５から離れる方向（離反する方向）へ付勢されている。したがって、外力がホルダー９０に加えられていない状態では、ホルダー９０は、前記離間位置を維持する。一方、トナーコンテナ５０が装着部４０に装着されて、突出部８５がガイド溝１００の下端部で支持されると、ホルダー９０は取付部４７の側壁１００Ｂから後述の接続端子１０３の弾性変更に伴う押圧力を受ける。この力によってホルダー９０が突出部８５側へ押圧されて、前記弾性部材が圧縮されて、ホルダー９０は、前記離間位置から前記近接位置へ回動する。
【００６０】
図３（Ａ）、（Ｂ）に示すように、装着部４０の左端部には、支持プレート４２が立設している。支持プレート４２は、４つのトナーコンテナ５０の一方端にある突出部８５及びホルダー９０を支持するためのものである。支持プレート４２は、前後方向７へ延出しており、４つのトナーコンテナ５０の突出部８５に対向している。この支持プレート４２は、トナーコンテナ５０の側壁５１Ｃ側の端部、具体的には、突出部８５及びホルダー９０を支持する。突出部８５は、支持プレート４２に設けられた取付部４７によって支持される。
【００６１】
図１３及び図１４に示すように、取付部４７は、ガイド溝１００を有する。ガイド溝１００は、前後方向７の両端に一対のガイド面１０１を有する。ガイド溝１００のガイド面１０１は、ガイド溝１００の下端１００Ａから斜め上方へ延びており、互いに平行な平坦面である。各ガイド面１０１に挟まれた部分は、支持プレート４２の他方側（右側）の内側面４２Ａ（右側の側面）が厚み方向に凹まされた凹陥部４８であり、凹陥部４８の前側の内面及び後側の内面がガイド面１０１となっている。言い換えると、支持プレート４２の内側面４２Ａに上方側が開放された凹陥部４８が形成されることにより、内側面４２Ａにガイド溝１００が形成される。
【００６２】
図１４（Ａ）に示すように、取付部４７は、４つの接続端子１０３（第２接触部の一例）を備えている。これら４つの接続端子１０３は、支持プレート４２に平行なガイド溝１００の側壁１００Ｂに設けられている。側壁１００Ｂは、装着部４０の前記装着位置にトナーコンテナ５０が配置された状態でホルダー９０に対向する対向面である。４つの接続端子１０３は、トナーコンテナ５０が備える４つの接続端子９５と接触して電気的に導通可能に接続される。４つの接続端子１０３それぞれは、４つの接続端子９５のいずれかと一対一で対応しており、トナーコンテナ５０が装着部４０に装着された状態で接続端子９５に対向する位置に配置されている。各接続端子１０３は、導電性を有する金属製のワイヤー部材或いは金属製の細幅で長尺なプレート部材を屈曲変形させて形成されている。接続端子１０３の一端部は、側壁１００Ｂに取り付けられた基板１０５に固定されている。また、接続端子１０３の他方端は、基板１０５から側壁１００Ｂの壁面に対して垂直方向（図１４の紙面手前方向）へ突出しており、湾曲形状に形成された接触部（不図示）を有する。前記接触部は、接続端子１０３において前記垂直方向側の頂部である。このように構成されているため、接続端子１０３は前記垂直方向に弾性変形可能なバネ性を有する。つまり、接続端子１０３は、側壁１００Ｂ側へ押し込むような押圧力を受けたときに弾性変形可能な形状に形成されている。接続端子１０３の前記接触部が接続端子９５に接触される。なお、基板１０５にはワイヤーハーネスが接続されており、そのワイヤーハーネスに接続端子１０３の固定側の端部が電気的に接続されている。
【００６３】
トナーコンテナ５０が装着部４０に装着される過程で、ホルダー９０の接続端子９５が取付部４７の接続端子１０３に当接する。そして、トナーコンテナ５０が装着部４０における前記装着位置へ押し込まれると、接続端子９５と接続端子１０３とが更に強く接触する。このとき、接続端子１０３が基板１０５側へ撓まされつつ、接続端子１０３の前記バネ性による弾性的な押圧力（弾性付勢力）が接触端子９５を介してホルダー９０に付与される。本実施形態では、トナーコンテナ５０が装着部４０に装着される前は、ホルダー９０は前記離間位置に配置されており、トナーコンテナ５０が装着部４０に装着されると、接続端子９５と接続端子１０３との当接によって前記押圧力を受けて、ホルダー９０は前記近接位置に変位する。ホルダー９０は、前記装着位置において接続端子１０３から前記押圧力を受けることにより、確実に前記近接位置に配置される。なお、接続端子９５又は接続端子１０３が破損していたり、不良状態だと、接続端子９５と接続端子１０３とが当接せず、互いの端子が接触しない場合がある。この場合、接続端子９５と接続端子１０３とが当接しないため、ホルダー９０は前記押圧力を受けず、トナーコンテナ５０が装着部４０に装着されているにも関わらず、前記離間位置に配置されることになる。
【００６４】
ガイド溝１００の側壁１００Ｂには、４つの接続端子１０３を覆うためのカバー１０７が設けられている。カバー１０７は、側壁１００Ｂにスライド移動可能に支持されている。カバー１０７は、接続端子１０３を覆う被覆位置（図１４（Ｂ）に示される位置）と、接続端子１０３を露出する露出位置（図１４（Ａ）に示される位置）との間で移動可能である。カバー１０７のスライド支持機構としては、レール及びレールガイドによる周知のレール支持機構が適用可能である。カバー１０７は、トナーコンテナ５０が装着部４０に装着される装着動作時に、その装着動作に伴いトナーコンテナ５０から力を受けて、接続端子１０３を露出する前記露出位置に移動する。また、トナーコンテナ５０の未装着時にカバー１０７が前記被覆位置に移動されることにより、接続端子１０３をカバー１０７で保護することができる。
【００６５】
ガイド溝１００には、カバー１０７が前記露出位置にあるときにカバー１０７を収容する収容部１１０を有する。収容部１１０は、側壁１００Ｂに固定されている。収容部１１０は、カバー１０７よりも側壁１００Ｂから離れた位置に配置されている。前記露出位置にカバー１０７が移動すると、側壁１００Ｂと収容部１１０との間に形成された収容空間にカバー１０７が収容される。収容部１１０の内部にはカバー１０７の移動を規制するストッパー（不図示）が形成されている。カバー１０７が下方へ下げられて前記露出位置まで移動すると、カバー１０７の下端がストッパーに当接して、その位置よりも下方への移動が制限される。
【００６６】
また、図１１に示すように、ホルダー９０には反射部１２４（偏向部の一例）が設けられている。反射部１２４は、光を上方へ向けて反射させる反射面１２５を有する。反射部１２４は、ホルダー本体９１の上面（上部）に設けられている。反射部１２４がホルダー本体９１の上面に設けられているため、ホルダー９０が前記接離方向へ変位すると、ホルダー９０の変位にともない、反射部１２４も同方向へ変位する。
【００６７】
また、図１３に示されるように、支持プレート４２の内側面４２Ａには、発光器１２８（発光部材の一例）が設けられている。発光器１２８は、トナーコンテナ５０が装着部４０に装着された状態で、トナーコンテナ５０の反射部１２４へ向けて光を出射させる。発光器１２８は、例えばＬＥＤ素子である。内側面４２Ａにおいて、４つの取付部４７それぞれに一つずつ発光器１２８が設けられている。具体的には、ガイド溝１００の側壁１００Ｂの上部に支持プレート４２を貫通する出射窓１２９が形成されており、その出射窓１２９からトナーコンテナ５０の左端部へ向けて光を照射可能なように、発光器１２８が支持プレート４２に取り付けられている。
【００６８】
発光器１２８は、発光器１２１と同じように、画像形成装置１０の制御部によって、その点灯が制御される。本実施形態では、前記制御部は、所定の条件を満たした場合に、発光器１２８を点灯させる。たとえば、トナーコンテナ５０内のトナーが空になった場合に、発光器１２８を点灯させる。これにより、ユーザーは、トナーコンテナ５０を交換する際に、点灯している発光器１２８を目印にして、空のトナーコンテナ５０がどれであるかを見つけ出すことができる。言い換えると、画像形成装置１０は、装着部４０においてトナーコンテナ５０が装着される位置の近傍の発光器１２８を点灯させることにより、交換されるべきトナーコンテナ５０をユーザーに知らせることができる。また、前記制御部は、トナーが充満された新しいトナーコンテナ５０が装着されると、発光器１２８を消灯する。例えば、トナーコンテナ５０が装着されて、接続端子９５と接続端子１０３とが接触して導通したことを検知すると、そのトナーコンテナ５０が再び空と判断されるまでの間、発光器１２８を消灯する。
【００６９】
また、発光器１２８は、トナーコンテナ５０が装着部４０における前記装着位置に装着された状態で、反射面１２５に光を照射する。このため、図１７に示すように、反射部１２４の反射面１２５は、内側面４２Ａの出射窓１２９に対向する。これにより、発光器１２８から出射された光は、反射面１２５に反射されて、上方へ向けて偏向する。特に、ホルダー９０が前記近接位置にあるときは、図１２（Ｂ）に示すように、反射面１２５は、受けた光を鉛直上方へ反射する。これにより、偏向された光が上方へ進むため、ユーザーがトナーコンテナ５０を交換しようとしてトップカバー２８Ｂを開けると、ユーザーは、交換すべきトナーコンテナ５０の反射部１２４が光っているように見えて、そのトナーコンテナ５０を容易に認識することができる。また、本実施形態では、上述したように、トナーコンテナ５０が装着部４０の前記装着位置に配置された状態で、接続端子１０３からの前記押圧力を受けてホルダー９０が前記近接位置に確実に配置されるため、反射面１２５は、受けた光を確実に鉛直上方へ反射させることができる。
【００７０】
また、トップカバー２８Ｂを開かなくても反射面１２５から反射する光を確認できるように、図１８に示すように、トップカバー２８Ｂに導光窓１３０（窓部の一例）が設けられていても良い。導光窓１３０は、トップカバー２８Ｂに形成された貫通孔に防塵用としての透明シートが貼り付けられたものである。導光窓１３０は、トップカバー２８Ｂにおいて、反射面１２５から反射した光が照射される部分に形成されている。これにより、トナーコンテナ５０が空になったときに画像形成装置１０の制御部が発光器１２８を点灯すると、反射面１２５からの光は、導光窓１３０を通ってトップカバー２８Ｂの外側へ進む。このため、ユーザーは、反射面１２５からの光を導光窓１３０から確認することができる。これにより、ユーザーは、トップカバー２８Ｂを開ける前に、交換するべきトナーコンテナ５０を認識することができる。
【００７１】
また、反射面１２５からの反射光を確実に導光窓１３０まで導くために、図１９に示すように、反射面１２５によって反射された光を導光窓１３０まで導光する導光部材１３１が設けられていてもよい。導光部材１３１は、例えば、内面が光を反射させやすい鏡面状にされた筒状の部材である。この導光部材１３１が設けられることにより、反射面１２５からの光が乱反射などによって減衰せずに導光窓１３０まで到達する。
【００７２】
なお、上述した実施形態では、支持プレート４２に発光器１２８が設けられ、支持プレート４３に発光器１２１が設けられた構成を例示したが、本発明は、発光器１２８だけが設けられた構成であっても、或いは発光器１２１だけが設けられた構成であってもよい。
【符号の説明】
【００７３】
１０：画像形成装置
４０：装着部
５０：トナーコンテナ
５２：トナー排出口
５３：開閉機構
５４：操作部
６７：レバー
７４：第１回転部
７５：第２回転部
７６：駆動伝達機構
９０：ホルダー
１２１，１２８：発光器
１２４：反射部
１２５：反射面
１３０：導光窓
１３１：導光部材
【図１】
2018072611.tif 000003
【図２】
2018072611.tif 000004
【図３】
2018072611.tif 000005
【図４】
2018072611.tif 000006
【図５】
2018072611.tif 000007
【図６】
2018072611.tif 000008
【図７】
2018072611.tif 000009
【図８】
2018072611.tif 000010
【図９】
2018072611.tif 000011
【図１０】
2018072611.tif 000012
【図１１】
2018072611.tif 000013
【図１２】
2018072611.tif 000014
【図１３】
2018072611.tif 000015
【図１４】
2018072611.tif 000016
【図１５】
2018072611.tif 000017
【図１６】
2018072611.tif 000018
【図１７】
2018072611.tif 000019
【図１８】
2018072611.tif 000020
【図１９】
2018072611.tif 000021